(57)【要約】【課題】軸組構造を有しながら、壁式構造的な意匠を実現することができる建物を提供すること。【解決手段】箱状の建物本体３を形成する軸組架構を備え、軸組架構の第１の外周構面から外側に持ち出された持ち出し部８を備え、第１の外周構面の外側を覆う外側帳壁６と、持ち出し部８の外側の側面を覆う外側持ち出し帳壁２４とを同一直線上に連続させる。また、第１の外周構面の内側を覆う内側帳壁７と、持ち出し部８の内側の側面を覆う内側持ち出し帳壁２５とを同一直線上に連続させる。これにより、内側持ち出し帳壁２５を、軸組架構の内部まで入り込んだ内側帳壁に対して連続させることができるので、壁スラブとして認識される領域を広げて、壁式構造の建物１のような意匠を実現することができる。【選択図】図１
2014201960.tif 000002
【特許請求の範囲】
【請求項１】
箱状の建物本体の外周に沿って交差する第１及び第２の外周構面を有する鉄骨造あるいは木造の軸組架構を備えた建物において、
前記軸組架構の前記第１の外周構面の外側を覆う外側帳壁と、
前記第１の外周構面の内側を覆う内側帳壁と、
前記第１及び第２の外周構面が交差する角部から外側へ持ち出された持ち出し部と、を備え、
前記持ち出し部は、前記持ち出し部の構面を有する持ち出し架構と、
前記持ち出し架構の持ち出し方向の先端面及び前記先端面と交差する両側面を覆う持ち出し帳壁とを有し、
前記持ち出し帳壁のうち前記持ち出し架構の一方の側面を覆う外側持ち出し帳壁は、前記第１の外周構面の外側を覆う前記外側帳壁に対して同一直線上に連続し、
前記持ち出し帳壁のうち前記持ち出し架構の他方の側面を覆う内側持ち出し帳壁は、前記第１の前記外周構面の内側を覆う前記内側帳壁に対して同一直線上に連続している、ことを特徴とする建物。
【請求項２】
前記持ち出し部の持ち出し方向に面すると共に前記第１の外周構面に直交する前記第２の外周構面である直交外周構面より、前記建物本体の内側に配置され、前記第１の外周構面に直交する直交帳壁と、
前記建物本体の内部床の前記持ち出し方向の先端を支持する梁の外側を覆う短帳壁と、を更に備え、
前記内側帳壁は、前記直交外周構面より前記建物本体の内側へ、前記直交帳壁まで連続し、
前記内部床の前記先端は、前記直交外周構面に一致しており、
前記短帳壁の高さ寸法は、前記持ち出し部の先端面の幅寸法と略等しいことを特徴とする請求項１に記載の建物。
【請求項３】
前記建物本体の上部側で、水平方向に延在すると共に前記持ち出し方向に張り出した張り出し部を更に備え、
前記持ち出し帳壁の上端は、前記張り出し部よりも外側へ持ち出されていることを特徴とする請求項１又は２に記載の建物。
【請求項４】
前記持ち出し部は、前記第１の外周構面の延在する方向の両端から互いに反対方向に持ち出されていることを特徴とする請求項１〜３の何れか一項に記載の建物。
【発明の詳細な説明】
【技術分野】
【０００１】
本発明は、鉄骨造あるいは木造の軸組架構を有する建物に関する。
【背景技術】
【０００２】
従来から、建物の構造形式の代表的なものとして、柱梁等の棒状の強度部材を組み合わせて建物を構成する軸組構造と、壁スラブや床スラブで建物を構成する壁式構造とがある。壁式構造の建物は、壁スラブや床スラブを外側へ突出させることで軽快で鋭いデザインを実現することができる。特許文献１に記載のユニット式建物は、建物ユニットの柱に接合された袖壁パネルを備える構成とされている。
【先行技術文献】
【特許文献】
【０００３】
【特許文献１】特開２００８−１４４３９１号公報
【発明の概要】
【発明が解決しようとする課題】
【０００４】
壁式構造を適用しうる構造種別としては、ＰＣパネルを採用したＲＣ造の構造などであり、鉄骨造による壁式構造を実現することは困難であった。そこで、鉄骨造の軸組構造の建物を得意とする住宅メーカーにおいては、顧客に対して壁式構造の建物に似ている外観デザインを有する住宅を提案したいという要望があった。
【０００５】
しかし、特許文献１の従来技術のように、直方体形状の建物ユニットに対して単に袖壁を付加しただけでは、壁式構造的な意匠を実現することはできなかった。
【０００６】
本発明は、軸組構造を有しながら、あたかも壁式構造的な意匠、すなわち壁スラブで構成されているかのような意匠を実現することができる建物を提供することを目的とする。
【課題を解決するための手段】
【０００７】
本発明の建物は、箱状の建物本体の外周に沿って交差する第１及び第２の外周構面を有する鉄骨造あるいは木造の軸組架構を備えた建物において、軸組架構の第１の外周構面の外側を覆う外側帳壁と、第１の外周構面の内側を覆う内側帳壁と、第１及び第２の外周構面が交差する角部から外側へ持ち出された持ち出し部と、を備え、持ち出し部は、持ち出し部の構面を有する持ち出し架構と、持ち出し架構の持ち出し方向の先端面及び先端面と交差する両側面を覆う持ち出し帳壁とを有し、持ち出し帳壁のうち持ち出し架構の一方の側面を覆う外側持ち出し帳壁は、第１の外周構面の外側を覆う外側帳壁に対して同一直線上に連続し、持ち出し帳壁のうち持ち出し架構の他方の側面を覆う内側持ち出し帳壁は、第１の外周構面の内側を覆う内側帳壁に対して同一直線上に連続している、ことを特徴としている。
【０００８】
本発明の建物は、箱状の建物本体を形成する軸組架構を備え、軸組架構の第１の外周構面から外側に持ち出された持ち出し部を備え、第１の外周構面の外側を覆う外側帳壁と、持ち出し部の外側の側面を覆う外側持ち出し帳壁とが同一直線上に形成されているので、建物の外側から見た場合に外側帳壁及び外側持ち出し帳壁が連続した外壁として視認され、軸組構造を有する建物であるにもかかわらず、壁式構造の建物のような意匠を実現することができる。
【０００９】
また、第１の外周構面の内側を覆う内側帳壁と、持ち出し部の内側の側面を覆う内側持ち出し帳壁とが同一直線上に形成され、内側持ち出し帳壁は、軸組架構の内部まで入り込んだ内側帳壁と連続する構成とすることができるので、壁スラブとして認識される領域を広げることができ、壁式構造の建物のような意匠を実現することができる。
【００１０】
また、持ち出し部の持ち出し方向に面すると共に第１の外周構面に直交する第２の外周構面である直交外周構面より、建物本体の内側に配置され、第１の外周構面に直交する直交帳壁と、建物本体の内部床の持ち出し方向の先端を支持する梁の外側を覆う短帳壁と、を更に備え、内側帳壁は、直交外周構面より建物本体の内側へ、直交帳壁まで連続し、内部床の先端は、直交外周構面に一致しており、短帳壁の高さ寸法は、持ち出し部の先端面の幅寸法と略等しい構成としてもよい。
【００１１】
この構成の建物は、持ち出し部の先端より建物本体の内側に配置された内部床を形成し、第１の外周構面に直交する直交外周構面より内側に直交帳壁が配置され、内部床の先端を支持する梁の外面を覆う短帳壁が、直交外周構面に沿って配置されているので、建物の外部から見た場合に、持ち出し部の先端よりも後退した位置に、内部床の先端を示す短帳壁が配置され、この短帳壁よりも後退した位置に居室の外側を示す直交帳壁が配置される。これにより、持ち出し部による壁スラブとしての印象と、この壁スラブから後退した位置に形成された内部床による床スラブとしての印象とが強調されるので、壁式構造の建物のような意匠をより一層強調することができる。建物の外部から見た場合に、壁スラブとこの壁スラブに支持された床スラブとによって構成された壁式構造の建物のような印象を、より強調して与えることができる。
【００１２】
また、建物本体の上部側で、水平方向に延在すると共に持ち出し方向に張り出した張り出し部を更に備え、持ち出し帳壁の上端は、張り出し部よりも外側へ持ち出されている構成でもよい。
【００１３】
この構成の建物は、持ち出し帳壁の上端が、例えば庇など水平方向に延在する張り出し部よりも外側に持ち出された形状となり、張り出し部と非連続な形状を有する持ち出し部を強調することができる。持ち出し部の先端よりも後退した位置に、持張り出し部の先端を設けることで、持ち出し部の上端における壁スラブとしての印象を強調し、壁式構造の建物のような意匠を実現する。
【００１４】
また、持ち出し部は、第１の外周構面の延在する方向の両端から互いに反対方向に持ち出されている構成でもよい。
【００１５】
第１の外周構面の両側に持ち出し部を設けることができるので、建物本体から両側に突出した壁スラブとしての印象をより強調して、壁式構造の建物のような意匠を実現することができる。複数の方向から建物を見た場合に、建物全体として壁式構造のような意匠がより強調される。
【発明の効果】
【００１６】
本発明によれば、軸組構造の架構を有しながら、壁式構造の建物のように軽快で鋭い意匠を実現できる建物を提供することができる。
【図面の簡単な説明】
【００１７】
【図１】本発明の第１実施形態に係る建物の外観を示す斜視図である。
【図２】図１に示す建物の１階部分の配置を示す水平断面図である。
【図３】図１に示す建物の２階部分の配置を示す水平断面図である。
【図４】図１に示す建物の３階部分の配置を示す水平断面図である。
【図５】外周構面及び持ち出し部の水平断面図である。
【図６】ロッジアの先端に設けられた短帳壁を示す断面図である。
【図７】本発明の第２実施形態に係る建物の外観を示す斜視図である。
【図８】本発明の第３実施形態に係る建物の外観を示す斜視図である。
【発明を実施するための形態】
【００１８】
以下、図面を参照しつつ、本発明に係る建物の実施形態について詳細に説明する。
【００１９】
図１に示すように、建物１は、３階建ての工業化住宅であり、各階の外周壁２の内側に、室内空間が設けられている。外周壁２は、壁の厚さ方向から見て、略矩形状に形成され、例えば、板状のＡＬＣ（軽量気泡コンクリート）等の防火性能を有する部材によって構成されている。建物１は、外周壁２を有する箱状の建物本体３を備え、この建物本体３は鉄骨造の軸組架構４を有する。
【００２０】
また、建物１は、図２〜図４に示すように、軸組架構４の所定の外周構面５（第１の外周構面）の外側を覆う外側帳壁６と、所定の外周構面５の内側を覆う内側帳壁７と、所定の外周構面５の延在方向の端部から外方へ持ち出された持ち出し部８とを備え、持ち出し部８は、図５に示すように、軸組架構４から持ち出された持ち出し架構９と、持ち出し架構９の両側面及び先端面を覆う持ち出し帳壁１０とを有する。持ち出し架構９の両側面とは、持ち出し架構９の長手方向と直交すると共に水平方向に向かい合う面である。
【００２１】
建物１では、南に向く面を正面とし、図２〜図４では、図示下側を南側としている。建物本体３は、例えば四角形に対応した敷地に配置され、建物本体３の外周は、四角形の四隅の角部のうち３つの角部がＬ字状に取り除かれた入隅部として形成されている。建物本体３では、南西角、南東角、及び北東角に入隅部が設けられている。
【００２２】
（軸組架構）
建物本体３の軸組架構４は、柱梁等の棒状の強度部材が組み合わされて構成されている。軸組架構４の柱１１は、例えば中空の矩形断面を有する鉄骨部材であり、上下方向に延在し、柱１１の下端は基礎から上方へ突出するアンカーボルトなどに固定されていてもよく、基礎に固定された梁１２に連結されていてもよい。柱１１は、水平方向に所定の間隔離れて複数配置されている。
【００２３】
軸組架構４の梁１２は、例えばＨ型鋼など鉄骨部材であり、水平方向に延在し、上下方向に所定の間隔で配置され、長手方向の両端に配置された柱１１同士を連結している。柱１１には、外方に張出す取付け金具が固着され、この取付け金具を梁１２とボルト結合することで、柱１１及び梁１２を連結する。梁１２の一部は、建物本体３の外周に沿って延在している。
【００２４】
（外周構面）
軸組架構４は、建物本体３の外周に沿う所定の外周構面５、及び所定の外周構面５に対して直交する外周構面である直交外周構面（第２の外周構面）１３を有している。所定の外周構面５及び直交外周構面１３が直交する建物本体３の角部には、柱１１が配置されている。所定の外周構面５及び直交外周構面１３に沿うように、梁１２が配置されている。
【００２５】
（外側帳壁）
外側帳壁６は、建物本体３の外周壁２を構成するいわゆるカーテンウォールであり、上述したように、ＡＬＣ等の防火性能を有する部材によって構成され、建物１の外部に対して露出されている。外側帳壁６は、取付け金具を介して柱１１及び梁１２に固定されている。
【００２６】
（内側帳壁）
建物本体３は、軸組架構４の外周構面５の内側を覆う内側帳壁７を備えている。内側帳壁７は、平面視において建物本体３の内部側に配置されていると共に、建物１の外部に対して区切られていない空間に露出しており、建物１の外部から視認可能である。建物１では、１階部分にピロティ１４、２階及び３階部分にロッジア１５が設けられ、これらのピロティ１４及びロッジア１５に隣接する外周構面５の内側を覆うように内側帳壁７が設けられている。内側帳壁７は、外側帳壁６と同一の材質であり、ＡＬＣ等の防火性能を有する部材によって構成されている。内側帳壁７は、取付け金具を介して柱１１及び梁１２に固定されている。なお、内側帳壁７の材質は、外側帳壁６と異なるものでもよい。
【００２７】
（ピロティ）
ピロティ１４は、東側の外周構面５の内側に隣接すると共に、南北方向に延在し、建物本体３の外部に対して開放されている。例えば、外部から敷地内に進入した車両は、ピロティ１４を通過して、反対側から敷地外の道路へ出ることが可能である。また、ピロティ１４に隣り合う持ち出し部８は、外周構面５の延在する方向の両端から互いに反対方向に持ち出されている。持ち出し部８は、１階部分において、ピロティ１４の外側でピロティ１４に沿って延在している。
【００２８】
（ロッジア）
ロッジア１５は、建物本体３の２階及び３階部分に設けられた洋室１６から持ち出し方向に沿って持ち出され、建物本体３の外部に対して露出されている。ロッジア１５は、外周構面５の建物本体３の内側に隣接している。また、外周構面５の延在する方向に沿って持ち出された持ち出し部８は、ロッジア１５の先端より外方へ張り出している。
【００２９】
図５は、外周構面５及び持ち出し部８の水平断面図である。軸組架構４は、ロッジア１５と洋室１６との間で、外周構面５と直交する内側構面１７を備えている。また、内側構面１７は、所定の外周構面５と直交する直交外周構面１３より持ち出し方向の基端側に配置されている。
【００３０】
内側構面１７には、洋室１６とロッジア１５と間で人が通行できる開口部１６ａが設けられている。建物本体３は、内側構面１７の外側を覆う直交帳壁１８を備え、直交帳壁１８は持ち出し方向に露出する面を成している。直交帳壁１８は、開口部１６ａが設けられていない内側構面１７の部分を覆い、洋室１６の外側の壁面を構成している。直交帳壁１８は、持ち出し方向において、直交外周構面１３に対して後退した位置に配置されている。直交帳壁１８は、例えば、ＡＬＣによって構成され、柱１１及び梁１２に固定されている。
【００３１】
図６に示すように、ロッジア１５の床１９の先端１９ａは、直交外周構面１３に沿って延在する梁１２によって支持されている。床１９の先端１９ａに沿って延在する先端ラインは、直交外周構面１３に一致している。ロッジア１５の床１９の先端１９ａを支持する梁１２の外側は、短帳壁２０によって覆われている。短帳壁２０は、ＡＬＣによって構成され、取付け金具２１を介して、梁１２の上フランジ１２ａ及び下フランジ１２ｂにそれぞれ固定されている。短帳壁２０の高さ寸法Ｈ２０は、持ち出し部８の幅寸法Ｗ８と略同じであることが好ましい。短帳壁２０の高さは、例えば、梁１２の高さに対応している。梁１２の高さとは、梁１２の長手方向と交差する上下方向に沿う長さである。短帳壁２０の高さ寸法Ｈ２０は、例えば、梁１２の高さ寸法より大きくてもよい。
【００３２】
ロッジア１５は、南向きに張り出すものでもよく、東向きに張り出すものでもよく、張り出す向きは、限定されない。また、建物本体３は、一つの洋室１６から異なる向きに張り出す複数のロッジア１５を備えている。ロッジア１５は、２階及び３階部分において、同じ位置に配置されていてもよく、異なる位置に配置されていてもよい。また、建物本体３は、ロッジア１５に隣接するキャンディベランダ２２を備えていてもよい。
【００３３】
（持ち出し部）
持ち出し部８は、いわゆる袖壁であり、図５に示すように、所定の外周構面５の延在方向の端部から建物本体３の外方に向けて持ち出されている。具体的には、所定の外周構面５と直交外周構面１３とが交差する建物本体３の角部から、外周構面５の延在方向に沿って持ち出されている。持ち出し部８は、所定の外周構面５の一方の端部から持ち出されていてもよく、所定の外周構面５の両方の端部から互いに反対方向に持ち出されていてもよい。
【００３４】
持ち出し部８は、持ち出し部８の構面である持ち出し構面２３を有する持ち出し架構９と、持ち出し架構９の持ち出し方向の先端面及び先端面に対して交差する両側面を覆う持ち出し帳壁１０とを有する。
【００３５】
持ち出し部８は、建物本体３の角部から南向きに持ち出されていてもよく、東向きに持ち出されていてもよく、その他の向きに持ち出されていてもよい。
【００３６】
（持ち出し架構）
持ち出し部８の持ち出し架構９は、梁等の棒状の強度部材が組み合わされて構成され、建物本体３の軸組架構４から持ち出された片持ちの梁を有する。なお、持ち出し架構９は、強度部材として柱を備える構成でもよい。
【００３７】
（持ち出し構面）
持ち出し架構９は、持ち出し方向に沿う持ち出し構面２３を有し、この持ち出し構面２３は、外周構面５に対して同一直線上に連続している。持ち出し構面２３は、所定の外周構面５に対して同一直線上に連続している。
【００３８】
（持ち出し帳壁）
持ち出し帳壁１０は、持ち出し構面２３の外側を覆う外側持ち出し帳壁２４、持ち出し構面２３の内側を覆う内側持ち出し帳壁２５、及び持ち出し構面２３の持ち出し方向の先端側を覆う先端持ち出し帳壁２６を有する。
【００３９】
外側持ち出し帳壁２４及び内側持ち出し帳壁２５は、板状のＡＬＣによって構成されている。外側持ち出し帳壁２４及び内側持ち出し帳壁２５は、取付け金具を介して持ち出し架構９に固定されている。先端持ち出し帳壁２６は、壁面が直交するようにＬ字状に形成されたＡＬＣを上下方向に配置し、このＬ字状のＡＬＣを持ち出し架構９の先端部を挟んで対向させることで構成されている。
【００４０】
持ち出し部８の外側持ち出し帳壁２４は、外側帳壁６に対して同一直線上に連続している。外側持ち出し帳壁２４の外表面及び外側帳壁６の外表面は、一直線状に連続している。持ち出し部８の内側持ち出し帳壁２５は、内側帳壁７に対して同一直線上に連続している。内側持ち出し帳壁２５の外表面及び内側帳壁７の外表面は、一直線状に連続している。内側持ち出し帳壁２５の外表面は、外側持ち出し帳壁２４の外表面に対して反対に向く面であり、内側帳壁７の外表面は、外側帳壁６の外表面に対して反対に向く面である。
【００４１】
内側帳壁７は、直交外周構面１３より持ち出し方向の基端側である建物本体３の内側へ、直交帳壁１８まで連続している。
【００４２】
（庇）
また、建物１は、建物本体３の上部側で水平方向に延在すると共に、持ち出し方向に張り出した張り出し部として庇２７を備えている。庇２７は、ロッジア１５の上方にそれぞれ配置され、持ち出し部８は、上方に配置された庇２７より外方に持ち出され、持ち出し部８の先端は、地面から上端まで上下方向に一直線状に連続し、短帳壁２０及び庇２７など水平方向に延在する部材によって遮られていない。
【００４３】
このような本実施形態の建物１では、軸組架構４の所定の外周構面５から外方に持ち出された持ち出し部８を備え、外周構面５の外側を覆う外側帳壁６と、持ち出し部８の外側の側面を覆う外側持ち出し帳壁２４とが、一直線状に連続しているので、建物１の外側から見た場合に外側帳壁６及び外側持ち出し帳壁２４が連続した外壁として視認され、軸組架構４を有する建物１であるにもかかわらず、壁式構造の建物１のような意匠を実現することができる。
【００４４】
また、建物１では、所定の外周構面５の内側を覆う内側帳壁７と、持ち出し部８の内側の側面を覆う内側持ち出し帳壁２５とが一直線状に連続し、内側持ち出し帳壁２５は、軸組架構４の内部である建物本体３の内部まで入り込んだ内側帳壁７と連続するので、壁スラブとして認識される領域を広げることができ、壁式構造の建物のような意匠を実現することができる。
【００４５】
建物１では、持ち出し部８の先端より持ち出し方向の基端側に配置されたロッジア１５を形成し、ロッジア１５の先端に配置された短帳壁２０の奥に、直交帳壁１８が配置されているので、持ち出し部８による壁スラブとしての印象と、この壁スラブから後退した位置に形成されたロッジア１５の床１９の先端１９ａを覆う短帳壁２０による床スラブとしての印象とが強調されるので、壁式構造の建物１のような意匠をより一層強調することができる。建物１の外部から見た場合に、壁スラブとこの壁スラブに支持された床スラブとによって構成された壁式構造の建物１のような印象を、より強調して与えることができる。
【００４６】
建物１は、持ち出し帳壁１０の上端が、例えば庇２７よりも持ち出し方向の先端側に持ち出された形状であり、庇２７と非連続な形状を有する持ち出し部８の壁スラブとしての印象を強調することができる。持ち出し部８の先端よりも後退した位置に、庇２７の先端を設けることで、持ち出し部８の上端における壁スラブとしての印象を強調し、壁式構造の建物のような意匠を実現する。
【００４７】
次に、第２実施形態に係る建物３１について説明する。上記の実施形態と同一の構成については説明を省略する。図７は、本発明の第２実施形態に係る建物３１の外観を示す斜視図である。図７に示す建物３１は、所定の外周構面５から持ち出された持ち出し部８を備え、この持ち出し部８は、建物３１の正面側へ持ち出されている。建物３１の１階部分には、正面側に開放されたガレージ３２が設けられている。ガレージ３２において、持ち出し部８の内側持ち出し帳壁２５は、ガレージ３２に隣接する内側帳壁７に対して同一直線上に連続している。
【００４８】
建物３１の２階及び３階部分には、正面側に張出すロッジア１５がそれぞれ設けられている。２階部分のロッジア１５の先端部に設けられた短帳壁２０は、３階部分のロッジア１５の先端部に設けられた短帳壁２０よりも、正面側へ持ち出されている。短帳壁２０の高さ寸法は、持ち出し部８の先端面の幅寸法と略等しくなっている。
【００４９】
建物３１の２階及び３階部分において、持ち出し部８の内側持ち出し帳壁２５は、ロッジア１５に隣接する内側帳壁７に対して同一直線上に連続している。内側帳壁７は、２階部分より３階部分の方が、建物本体３の内部側まで連続している。また、持ち出し部８は、建物３１の上部側において、ロッジア１５の上方に配置された庇２７よりも正面側へ持ち出されている。
【００５０】
このような建物３１においても、持ち出し部８が、正面側に持ち出され、内側持ち出し帳壁２５と、所定の外周構面５の内側を覆う内側帳壁７とが同一直線上に連続しているので、軸組架構４の内部まで入り込んだ壁スラブとして認識される領域を広げることができ、軸組架構４を備えた建物１でありながら、壁式構造の建物３１であるかのような印象を与えることができる。
【００５１】
次に、第３実施形態に係る建物４１について説明する。上記の実施形態と同一の説明は省略する。図８は、本発明の第３実施形態に係る建物４１の外観を示す斜視図である。図８に示す建物４１は、所定の外周構面の端部から持ち出された持ち出し部８を備え、この持ち出し部８は、建物４１の正面側へ持ち出されている。このような第３実施形態の建物４１では、第２実施形態の建物３１と同様に、ガレージ３２、ロッジア１５、及び庇２７が設けられている。また、持ち出し部８の内側持ち出し帳壁５１と、軸組架構４の所定の外周構面５の内側を覆う内側帳壁７とが持ち出し方向において一直線状に連続しているので、上記実施形態と同様の作用、効果を奏する。
【００５２】
本発明は、上述した実施形態に限定されるものではない。例えば上記実施形態では、鉄骨造の軸組架構４を備える建物１としているが、木造の強度部材が組み合わされた軸組架構を備える建物でもよい。
【００５３】
また、上記実施形態では、外周構面５，１３が直交する角部から、持ち出し部８が持ち出されているが、例えば、４５度の角度で外周構面が交差する角部から持ち出し部８が持ち出されていてもよい。
【００５４】
また、上記実施形態では、例えば、ロッジア１５と洋室１６との間に、直交帳壁１８が設けられているが、直交帳壁１８を備えていない構成でもよい。直交帳壁１８がなく、さらに建物本体３の内部まで内側帳壁７が連続している構成でもよい。ロッジア１５は、洋室１６から張り出すものに限定されず、居間、和室、廊下、浴室などから張り出すものでもよい。
【００５５】
また、上記実施形態では、ロッジア１５の上方に庇２７を備える構成としているが、庇に代えて、建物本体３から持ち出し方向の先端側へ、離間すると共に水平方向に延在するフレーム部材を備え、このフレーム部材より持ち出し方向の先端側へ持ち出された持ち出し部を備える構成でもよい。庇２７の一部に開口が設けられていてもよい。また、建物１は、庇２７及びフレーム部材がロッジア１５の上方に配置されていない構成でもよい。
【００５６】
また、正面視において、建物１の幅方向に両端に配置された持ち出し部８の持ち出し方向における長さは、同一でもよく、異なっていてもよい。一方の持ち出し部８が他方の持ち出し部８よりも、持ち出し方向において長いものでもよい。
【００５７】
また、持ち出し部８の側方から、建物を視認した場合に、持ち出し部８によって、視認できない位置に、建物本体３の窓部が設けられていると、持ち出し部８によって、屋内が見え難くなるので好ましい。また、中層階において建物１を貫通する内側帳壁７が設けられた建物でもよい。
【００５８】
また、上記の実施形態では、建物１の正面を南側としているが、建物１の向きは、何れの方向に向けられていてもよい。
【００５９】
また、上記の実施形態では、建物１を住宅として説明しているが、建物は住宅に限定されず、事務所、店舗、工場、病院、公共施設など、その他の建物でもよい。
【符号の説明】
【００６０】
１，３１，４１…建物
３…建物本体
４…軸組架構
５…所定の外周構面（第１の外周構面）
６…外側帳壁
７…内側帳壁
８…持ち出し部
９…持ち出し架構
１０…持ち出し帳壁
１３…直交外周構面（第２の外周構面）
１８…直交帳壁
１９…床（内部床）
２０…短帳壁
２３…持ち出し構面
２４…外側持ち出し帳壁
２５…内側持ち出し帳壁
２６…先端持ち出し帳壁
２７…庇（張り出し部）
【図１】
2014201960.tif 000003
【図２】
2014201960.tif 000004
【図３】
2014201960.tif 000005
【図４】
2014201960.tif 000006
【図５】
2014201960.tif 000007
【図６】
2014201960.tif 000008
【図７】
2014201960.tif 000009
【図８】
2014201960.tif 000010